(57)【要約】      （修正有）【課題】目的地への到着時間を短縮させるナビゲーションシステムを提供する。【解決手段】第１ナビゲーション装置１００は、道路地図を表示する第１画面１０１を含み、目的地入力手段１１０、現在位置取得手段１１２、ルート案内手段１１４、及び、道路地図表示手段１１６を備える。目的地入力手段は、音声入力機能を有し、目的地の住所の情報を取得する。現在位置取得手段は、ＧＰＳを用いて、自己の現在位置の情報を取得する。ルート案内手段は、目的地の住所の情報と、現在位置の情報を用いて、現在位置から目的地までのルートを決定する。道路地図表示手段は、現在位置を道路地図に重ねて第１画面上に表示させる。第２ナビゲーション装置２００は、住宅地図を表示する第２画面２０１を含み、現在位置取得手段２１２、及び、住宅地図表示手段２１６を備える。現在位置取得手段は、ＧＰＳを用いて、自己の現在位置の情報を取得する。住宅地図表示手段は、現在位置を住宅地図に重ねて第２画面上に表示させる。【選択図】図１
0003224049.tif 000002
【実用新案登録請求の範囲】
【請求項１】
道路地図を表示する第１画面を含み、
音声入力機能を有し、目的地の住所の情報を取得する目的地入力手段、
ＧＰＳ（Ｇｌｏｂａｌ  Ｐｏｓｉｔｉｏｎｉｎｇ  Ｓｙｓｔｅｍ）を用いて、自己の現在位置の情報を取得する機能を有する現在位置取得手段、
前記目的地の住所の情報と、前記現在位置の情報を用いて、現在位置から目的地までのルートを決定する機能を有するルート案内手段、及び、
道路地図情報を記憶媒体から読み出して、道路地図として前記第１画面に表示させるとともに、現在位置を前記道路地図に重ねて前記第１画面上に表示させる機能を有する道路地図表示手段
を備える第１ナビゲーション装置と、
住宅地図を表示する第２画面を含み、
ＧＰＳを用いて、自己の現在位置の情報を取得する機能を有する現在位置取得手段、及び、
住宅地図情報を記憶媒体から読み出して、住宅地図として前記第２画面に表示させるとともに、現在位置を前記住宅地図に重ねて前記第２画面上に表示させる機能を有する住宅地図表示手段と
を備える第２ナビゲーション装置と
を備えて構成されることを特徴とするナビゲーションシステム。
【考案の詳細な説明】
【技術分野】
【０００１】
この考案は、ナビゲーションシステムに関するものである。
【背景技術】
【０００２】
車両が目的地点に到達するように案内するナビゲーション装置は、広く普及している（例えば、特許文献１参照）。
【先行技術文献】
【特許文献】
【０００３】
【特許文献１】特許６２０８２７４号
【考案の概要】
【考案が解決しようとする課題】
【０００４】
しかしながら、広く普及しているナビゲーション装置では、目的地周辺に到着した時点で案内を終了してしまうものが多い。特に個人宅が目的地である場合、ナビゲーション装置の案内により、目的地周辺までは比較的容易に到着できるものの、目的地への到着は容易とは言えない。
【０００５】
宅配サービスなどを提供する業者などにとっては、目的地への到着時間をいかに短縮するかは、解決すべき課題である。
【０００６】
この考案は、上述の問題点に鑑みてなされたものであり、この考案の目的は、目的地への到着を容易にするナビゲーションシステムを提供することにある。
【課題を解決するための手段】
【０００７】
上述した目的を達成するために、この考案のナビゲーションシステムは、第１ナビゲーション装置と第２ナビゲーション装置とを備えて構成される。
【０００８】
第１ナビゲーション装置は、道路地図を表示する第１画面を含み、目的地入力手段、現在位置取得手段、ルート案内手段、及び、道路地図表示手段を備える。目的地入力手段は、音声入力機能を有し、目的地の住所の情報を取得する。現在位置取得手段は、ＧＰＳ（Ｇｌｏｂａｌ  Ｐｏｓｉｔｉｏｎｉｎｇ  Ｓｙｓｔｅｍ）を用いて、自己の現在位置の情報を取得する機能を有する。ルート案内手段は、目的地の住所の情報と、現在位置の情報を用いて、現在位置から目的地までのルートを決定する機能を有する。道路地図表示手段は、道路地図情報を記憶媒体から読み出して、道路地図として第１画面に表示させるとともに、現在位置を道路地図に重ねて第１画面上に表示させる機能を有する。
【０００９】
第２ナビゲーション装置は、住宅地図を表示する第２画面を含み、現在位置取得手段、及び、住宅地図表示手段を備える。現在位置取得手段は、ＧＰＳを用いて、自己の現在位置の情報を取得する機能を有する。住宅地図表示手段は、住宅地図情報を記憶媒体から読み出して、住宅地図として第２画面に表示させるとともに、現在位置を住宅地図に重ねて第２画面上に表示させる機能を有する。
【考案の効果】
【００１０】
この考案のナビゲーションシステムによれば、音声入力機能を用いることで、目的地の入力に要する時間が短縮される。この結果、宅配サービスなどで利用する場合、短時間で、多数の目的地を訪れることができる。
【００１１】
また、このナビゲーションシステムでは、第２ナビゲーション装置が住宅地図を表示するので、利用者がこの住宅地図を用いて、配送車の適切な停車位置を決めることができる。
【００１２】
従って、この考案のナビゲーションシステムによれば、目的地に対して、より早くより適切な位置に到達することができる。従って、特に、宅配サービスなどに用いると、効率的に複数箇所に配送することができる。
【図面の簡単な説明】
【００１３】
【図１】この考案のナビゲーションシステムの構成例を説明するための模式図である。
【図２】この考案のナビゲーションシステムの使用方法を説明するためのフロー図である。
【考案を実施するための形態】
【００１４】
以下、図を参照して、この考案の実施の形態について説明するが、各構成要素の形状、大きさ及び配置関係については、この考案が理解できる程度に概略的に示したものに過ぎない。また、以下、この考案の好適な構成例につき説明するが、単なる好適例にすぎない。従って、この考案は以下の実施の形態に限定されるものではなく、この考案の構成の範囲を逸脱せずにこの考案の効果を達成できる多くの変更又は変形を行うことができる。
【００１５】
図１を参照して、この考案のナビゲーションシステムの構成例を説明する。図１（Ａ）及び（Ｂ）は、この考案のナビゲーションシステムの構成例を説明するための模式図である。図１（Ａ）は、ナビゲーションシステムの外観を示している。また、図１（Ｂ）は、ナビゲーションシステムの模式的なブロック図を示している。
【００１６】
このナビゲーションシステム１０は、第１ナビゲーション装置１００及び第２ナビゲーション装置２００の２つのナビゲーション装置を備えて構成される。このナビゲーションシステム１０は、宅配サービスで用いられる配送車に搭載されて用いられる。ここでは、配送車として自動車の例を説明するが、このナビゲーションシステム１０を、二輪車に搭載して用いてもよい。
【００１７】
このナビゲーションシステム１０は、第１画面１０１及び第２画面２０１の２つの画面を有している。第１画面１０１は、第１ナビゲーション装置１００が備える画面であり、第２画面２０１は、第２ナビゲーション装置２００が備える画面である。なお、ここでは、ナビゲーションシステム１０として第１ナビゲーション装置１００及び第２ナビゲーション装置２００が１つの筐体に搭載されている例を示しているが、これに限定されない。第１及び第２ナビゲーション装置１００及び２００を、それぞれ表示画面が搭載された筐体で構成し、ナビゲーションシステム１０を、第１及び第２ナビゲーション装置１００及び２００を連結して構成してもよい。この場合、第１ナビゲーション装置１００及び第２ナビゲーション装置２００として、スマートフォン、タブレット端末など、携帯可能な通信端末や、車載用ナビゲーション装置を用いることができる。
【００１８】
ここで、ナビゲーションシステム１０は、第１画面１０１及び第２画面２０１の他に、音声入力用のマイク及びスピーカを備えるが、これらの配置箇所は任意であり、ここでは図示及び説明を省略する。
【００１９】
また、ナビゲーションシステム１０の入力手段として、音声入力による目的地入力手段１１０の他に、縮尺など画面表示の切り換えなどの入力手段も用いられる。これら、目的
地入力手段１１０以外の入力手段については、任意好適に設定できるのでここでは説明を省略する。目的地入力手段１１０と同様に、音声入力で行ってもよいし、第１画面１０１や第２画面２０１に設けられたタッチパネル機能により、画面の所定位置に触れることで入力する構成にしてもよい。また、機械的に操作する、ボタン、スイッチなどを備えていてもよい。
【００２０】
第１及び第２ナビゲーション装置１００及び２００が奏する各機能は、スマートフォン、タブレット端末など、携帯可能な通信端末や、車載用ナビゲーション装置がそれぞれ備えているか、あるいは、コンピュータソフトウェアを実行することにより達成することができるものである。
【００２１】
第１ナビゲーション装置１００は、目的地入力手段１１０、現在位置取得手段１１２、ルート案内手段１１４、及び、道路地図表示手段１１６を備えている。
【００２２】
目的地入力手段１１０は、例えば、任意好適な従来公知のマイクなどの音声入力機能と、及び、コンピュータソフトウェアの実行により達成される音声認識機能とを有する。利用者が目的地の住所を発声すると、目的地入力手段１１０は、目的地の住所の情報を取得する。
【００２３】
現在位置取得手段１１２は、例えば、複数個の人工衛星からの信号を受信する信号受信機能と、受信した信号から自己の現在位置の情報を取得する機能を有し、従来公知のＧＰＳ（Ｇｌｏｂａｌ  Ｐｏｓｉｔｉｏｎｉｎｇ  Ｓｙｓｔｅｍ）の技術を用いて構成できる。
【００２４】
ルート案内手段１１４は、目的地入力手段１１０が取得した目的の住所の情報と、現在位置取得手段１１２が取得した現在位置の情報を用いて、現在位置から目的地までのルートを決定する機能を有する。なお、現在位置から目的地までのルートについては、１のルートを提示する構成にしてもよいし、複数のルートを提示して利用者に選択させる構成にしてもよい。
【００２５】
道路地図表示手段１１６は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＤＶＤ（Ｄｉｇｉｔａｌ  Ｖｅｒｓａｔｅｌｉ  Ｄｉｓｃ）などの記憶媒体１２０から道路地図情報１２２を読み出す機能を有している。道路地図表示手段１１６は、道路地図情報１２２を記憶媒体１２０から読み出して道路地図として第１画面１０１上に表示させるとともに、現在位置を道路地図に重ねて第１画面１０１上に表示させる。
【００２６】
この第１ナビゲーション装置１００については、従来のナビゲーション装置を用いて実現可能である。なお、目的地入力手段１１０は、目的地の入力に、音声入力の他、タッチパネルなどによる入力も可能である。しかし、タッチパネルでの操作に比べて音声入力の方が、目的地の入力に要する時間が短い場合が多い。短時間で、多数の目的地を訪れる必要のある宅配サービスなどでは、目的地の入力に要する時間もできるだけ、短くしたい。このため、この第１ナビゲーション装置１００では、音声入力機能を用いている。
【００２７】
第２ナビゲーション装置２００は、現在位置取得手段２１２、及び、住宅地図表示手段２１６を備えて構成される。
【００２８】
現在位置取得手段２１２は、第１ナビゲーション装置１００と同様に、従来公知のＧＰＳの技術を用いて構成できる。住宅地図表示手段２１６は、ＨＤＤ、ＳＳＤ、ＤＶＤなどの記憶媒体２２０から、住所、番地、居住者名称、建物名称などの詳細情報、いわゆる、
住宅地図情報２２２を読み出す機能を有している。
【００２９】
住宅地図表示手段２１６は、住宅地図情報２２２を記憶媒体２２０から読み出して住宅地図として第２画面２０１上に表示するとともに、現在位置を住宅地図に重ねて第２画面２０１上に表示する。ここでは、住宅地図情報２２２を表示した地図を単に、住宅地図又は戸別表示地図と称することもある。
【００３０】
なお、現在位置取得手段２１２及び記憶媒体２２０については、第１ナビゲーション装置１００と第２ナビゲーション装置２００とで共有する構成にしてもよい。
【００３１】
ここで、第１ナビゲーション装置１００として用いられる、従来のナビゲーション装置は、画面上に、地図と、現在位置を表示する機能を有している。しかし、従来のナビゲーション装置で用いられる地図では、番地が明確に表示されない場合も多く、また、特に個人宅の居住者名称については表示されない。したがって、宅配サービス等で用いる場合、最終的な目的地の把握が難しい。
【００３２】
これに対し、このナビゲーションシステムでは、第２ナビゲーション装置２００が、住宅地図を表示するので、現在位置周辺の番地及び居住者名称などがわかる。
【００３３】
また、一般に、従来のナビゲーション装置は、目的地周辺までは案内するが、宅配サービス等の用途に適した案内とはいえない。従来のナビゲーション装置では、例えば、宅配サービスを行う配送車が停車可能な位置や、目的地が２面以上道路に面している角地にある場合に、玄関に近いなど配送に便利な位置までは、利用者が把握できない。
【００３４】
これに対し、このナビゲーションシステム１０では、第２ナビゲーション装置２００が住宅地図を表示するので、利用者がこの住宅地図を用いて、配送車の適切な停車位置を決めることができる。
【００３５】
以上説明したように、この考案のナビゲーションシステムによれば、目的地に対して、より早くより適切な位置に到達することができる。従って、特に、宅配サービスなど、効率的に複数箇所に配送する場合に、この考案のナビゲーションシステムは有効である。
【００３６】
（使用方法）
図２を参照して、このナビゲーションシステムの使用方法を説明する。図２は、この考案のナビゲーションシステムの使用方法を説明するためのフロー図である。
【００３７】
利用者は、ステップ（以下、ステップをＳで表す。）１０において、第１ナビゲーション装置１００の目的地入力手段１１０を用いて、目的地を入力する。具体的には、音声入力機能を作動させ、目的地の住所を利用者が発声することにより、目的地が入力される。
【００３８】
Ｓ２０において、利用者は、第１ナビゲーション装置１００の案内に従って、自動車を操作し、目的地付近まで向かう。
【００３９】
目的地付近に到着すると、Ｓ３０において、利用者は、第１ナビゲーション装置１００の案内による自動車の操作を中止し、第２ナビゲーション装置２００の住宅地図、すなわち第２画面２０１を確認する。
【００４０】
その後、利用者は、Ｓ４０において、住宅地図により現在地から目的地までの道順を組むとともに、配送車の停車位置を決める。配送車の停車位置は、目的地が個人宅の場合は玄関、また、目的地がマンションなどの集合住宅の場合は建物入口、と推測される位置の
付近にするのがよい。このとき、法的規制、道幅、車線数などを考慮して、停車可能であり、かつ、他の車等の通行の妨げにならない位置が選択される。また、例えば、停車位置が片側１車線（計２車線）以上の道路の場合、目的地が進行方向に対して左側になるように、道順を組むことができる。
【００４１】
道順及び停車位置を決定した後、Ｓ５０において、利用者は、適宜第２画面２０１を確認し、自動車を操作して目的地まで移動する。
【符号の説明】
【００４２】
１０    ナビゲーションシステム
１００    第１ナビゲーション装置
１０１    第１画面
１１０    目的地入力手段
１１２    現在位置取得手段
１１４    ルート案内手段
１１６    道路地図表示手段
１２０、２２０    記憶媒体
１２２    道路地図情報
２００    第２ナビゲーション装置
２０１    第２画面
２１２    現在位置取得手段
２１６    住宅地図表示手段
２２２    住宅地図情報
【図１】
0003224049.tif 000003
【図２】
0003224049.tif 000004